(57)【特許請求の範囲】
【請求項１】
コンクリートを打設した後、該コンクリート打設現場においてコンクリート天端仕上げ面の精度を確保して，コンクリート表面を金鏝で仕上げ、更に、回転自在なローラー軸の表面に針状の硬質毛を半径方向外側に植毛したローラーを柄で支持してなる滑り止め処理治具を、前記コンクリート表面上に前記ローラーを転動させて所望方向に移動させ、前記コンクリート表面を仕上げ調整すること、
を特徴とするコンクリート表面の処理工法。
【請求項２】
滑り止め処理治具のローラーを、一定の方向に転動させて、パターン付けすること、
を特徴とする請求項１に記載のコンクリート表面の処理工法。
【請求項３】
柄の先端部に取り付けられローラーを回転自在に支持するコ字形の支持枠体は、当該支持枠体のコ字形における長い本体部分が補強手段によって曲げ強度に関して補強されていること、
を特徴とする請求項１または２に記載のコンクリート表面の処理工法。
【請求項４】
コンクリート打設現場において使用される治具であって、
操作用の細長い棒状の柄と、
前記柄の先端部に取り付けられる、全体コ字形で該コ字形の対向する両先端部に架設された軸でローラーを回転自在に支持する支持枠体と、
前記支持枠体によって回転自在に支持される筒状のローラー軸の表面に針状の硬質毛を半径方向外側に植毛してなるローラーと、
前記支持枠体のコ字形における長い本体部分と、当該本体部分と平行な棒状体とが、固定手段で一体に固定されることで、当該支持枠体の本体部分における曲げ強度を補強する補強手段とが設けられてなること、
を特徴とする滑り止め処理治具。
【請求項５】
補強手段は、棒状体の金属棒と、固定手段としてのクランプとでなり、前記金属棒がクランプによって支持枠体の本体部分に固定されていること、
を特徴とする請求項４に記載の滑り止め処理治具。
【発明の詳細な説明】
【技術分野】
【０００１】
本発明は、例えば、倉庫、工場、駐車場などのコンクリート床等を構築する場合、コンクリートの舗装面に、滑り止め対策を施すためのコンクリート表面の処理工法と、その工法に使用する滑り止め処理治具に関するものである。
【背景技術】
【０００２】
コンクリート床の表面仕上げには、コンクリート打設後に、金鏝による仕上げ工法が知られている。例えば、従来例１として、特許文献１に記載されているように、コンクリート床地の耐摩耗性の増加と滑止め用のコンクリート床表面を形成することが目的で、コンクリートの表面が生乾きの状態で、コンクリート表面に粉砕した硬質骨材を散布し、表面を擦って前記硬質骨材を表層部に埋設させる工法が知られている。
【先行技術文献】
【特許文献】
【０００３】
【特許文献１】特開平０９−７２０７７号公報
【発明の概要】
【発明が解決しようとする課題】
【０００４】
しかし、上記の従来例１では、滑り止めとして硬質骨材が必要で、更にこれを埋設させるためには重量のあるローラー装置などが必要となって、コストが嵩むことになる。そのほか、従来のコンクリート表面の滑り止め工法においては、以下のような課題がある。金鏝仕上げでは、耐久性が高いものの雨天時に滑りやすい、；ブラスト仕上げでは、コストが高く、タイヤが摩耗しやすい、；刷毛引き仕上げでは、舗装面・タイヤ共に摩耗しやすく、舗装面の摩耗によって防滑性能が低下し易く、更に、コンクリート粉塵の埃が発生し易い、；真空仕上げでは、耐久性、防滑効果は高いが、パターンが深く、泥やゴミが溜まりやすい、水はけも悪いので、台車の仕様には適さない。更に、アスファルト舗装では、滑り難いが、夏季には轍が発生し易く、耐久性能が劣るものである。
【０００５】
本発明に係るコンクリート表面の処理工法と滑り止め処理治具は、このような課題を解決するために提案されたものである。
【課題を解決するための手段】
【０００６】
本発明に係るコンクリート表面の処理工法の上記課題を解決して目的を達成するための要旨は、コンクリートを打設した後、該コンクリート打設現場においてコンクリート天端仕上げ面の精度を確保して，コンクリート表面を金鏝で仕上げ、更に、回転自在なローラー軸の表面に針状の硬質毛を半径方向外側に植毛したローラーを柄で支持してなる滑り止め処理治具を、前記コンクリート表面上に前記ローラーを転動させて所望方向に移動させ、前記コンクリート表面を仕上げ調整することである。
【０００７】
前記滑り止め処理治具のローラーを、一定の方向に転動させて、パターン付けすることである。また、前記柄の先端部に取り付けられローラーを回転自在に支持するコ字形の支持枠体は、当該支持枠体のコ字形における長い本体部分が補強手段によって曲げ強度に関して補強されていることを含むものである。
【０００８】
本発明に係る滑り止め処理治具の上記課題を解決して目的を達成するための要旨は、コンクリート打設現場において使用される治具であって、操作用の細長い棒状の柄と、前記柄の先端部に取り付けられる、全体コ字形で該コ字形の対向する両先端部に架設された軸でローラーを回転自在に支持する支持枠体と、前記支持枠体によって回転自在に支持される筒状のローラー軸の表面に針状の硬質毛を半径方向外側に植毛してなるローラーと、前記支持枠体のコ字形における長い本体部分と、固定手段で当該本体部分と平行な棒状体とが一体に固定されることで、当該支持枠体の本体部分における曲げ強度を補強する補強手段とが設けられてなることである。
【０００９】
前記補強手段は、棒状体の金属棒であって、該金属棒がクランプによって柄の本体部分に固定されていることを含むものである。
【発明の効果】
【００１０】
本発明のコンクリート表面の処理工法と処理治具によれば、コンクリート表面の耐久性、耐摩耗性（耐タイヤ摩耗性を含む）、防塵性、轍の発生防止、耐汚染性、に優れているとともに、最も求められる防滑性能が確保されて、総合的に優れた舗装仕上げとなる。また、施工性がよく、コストアップにもならないと言う優れた効果を奏するものである。
【図面の簡単な説明】
【００１１】
【図１】本発明に係る滑り止め処理治具１の側面図（Ａ）、正面図（Ｂ）である。
【図２】同他の実施例に係る滑り止め処理治具１ａの正面図である。
【発明を実施するための形態】
【００１２】
本発明に係るコンクリート表面の処理工法は、図１に示すように、針状の硬質毛を有するローラー４でコンクリート表面１０を仕上げるものである。
【実施例１】
【００１３】
本発明に係る滑り止め処理治具１は、図１（Ａ），（Ｂ）に示すように、操作用の細長い棒状の柄５と、前記柄５の先端部５ａに取り付けられる、全体コ字形で該コ字形の対向する両先端部６ａ，６ｂに架設された軸２でローラー４を回転自在に支持する支持枠体６とがある。
【００１４】
前記柄５は、例えば金属製、若しくは軽量のアルミニウム製などであり、長さが一例として１５００ｍｍ程度である。
【００１５】
前記支持枠体６によって回転自在に支持される筒状のローラー軸２の表面に、針状の硬質毛３を半径方向外側に植毛してなるローラー４がある。前記硬質毛３は、プラスチック製、若しくは、金属製である。その太さや長さの程度は、適宜に設定されるものである。また、前記ローラー４の大きさの一例として、直径は約１００ｍｍ、幅が約７５０ｍｍ〜１０００ｍｍであるが、特に限定されること無く適宜に設定されるものである。
【００１６】
図２に示すように、他の実施例に係る滑り止め処理治具１ａは、前記支持枠体６のコ字形における長い本体部分６ｃと、固定手段８である金属製のクランプと、当該本体部分６ｃと平行な棒状体７とが一体に固定される。前記クランプ８、棒状体７とでなる補強手段９によって、支持枠体６の本体部分６ｃにおける曲げ強度が補強されるものである。
【００１７】
前記補強手段９における棒状体７は、例えば金属棒である。該金属棒７が、足場の固定などに使用されるクランプ８によって、支持枠体６の本体部分６ｃに固定される。なお、前記本体部分６ｃの略中央部は、図２に示すように、柄５の先端部５ａの外周面に当接している。この本体部分６ｃの中央部と、柄５の先端部５ａとを、番線、ビニールタイなどの紐部材相当品で縛って固定しても良いが、固定しなくても良い。
【００１８】
次に、前記本発明に係る滑り止め処理治具１，１ａを使用して、本発明に係るコンクリート表面の処理工法を説明する。
【００１９】
工場、倉庫、駐車場などにおける床面の構築において、所定の型枠内に、コンクリートを打設した後、アルミニウム定規にて、表面定規擦りを行って、コンクリート天端仕上げ面の精度を確保する。更に、コンクリート表面１０を金鏝で仕上げて、ムラ取りを行う。
【００２０】
更に、前記本発明に係る滑り止め処理治具１，１ａを、作業者が柄５を手に持って、前記コンクリート表面１０上に前記ローラー４を転動させ、所望方向に移動させる。
【００２１】
前記滑り止め処理治具１のローラー４を、一定の方向（立て方向、横方向、斜め方向）に転動させて、パターン付けするものである。
【００２２】
前記滑り止め処理治具１，１ａにより、コンクリート表面１０に小さな凹凸が付いて、滑りにくくなり防滑効果が発揮される。また、前記ローラー４を押さえつけて不陸を発生させるので、コンクリート表面１０がなだらかに仕上がり、突起が発生しなくなり耐摩耗性が向上する。
【００２３】
更に、刷毛引き仕上げのようにコンクリート表面１０に砂分を浮かせないため、耐摩耗性が良い。コンクリートの打設後に、即時仕上げが行えて工期短縮となる。そのほか、滑り止め処理治具１の製造コストは安価であって、コスト的にも嵩張ることが無い。
【産業上の利用可能性】
【００２４】
本発明に係るコンクリート表面の処理工法とその滑り止め処理治具によれば、簡易な構成により滑り止め処理治具１を形成できて、多様なコンクリート構造物における床のコンクリート表面の仕上げに広く適用できるものとなる。
【符号の説明】
【００２５】
１          滑り止め処理治具、      １ａ    他の実施例の滑り止め処理治具、
２          ローラー軸、
３          硬質毛、
４          ローラー、
５          柄、                    ５ａ            先端部、    
６          支持枠体、              ６ａ，６ｂ      先端部、
６ｃ        本体部分、
７          棒状体（金属棒）、
８          固定手段（クランプ）、
９          補強手段、
１０        コンクリート表面。
【図１】
0006706934.tif 000002
【図２】
0006706934.tif 000003